(57)【要約】【課題】リテーナの不用意な差し込みを防止しなおかつ小型化を実現する。【解決手段】雌側端子金具の挿入されるハウジング本体２の一方の側面からはリテーナ挿入溝２３が形成され、このリテーナ挿入溝２３にリテーナ１４が差し込まれる。リテーナ１４は、雌側端子金具のキャビティ内への挿抜を許容する仮係止位置と、そこからさらに深く差し込まれて雌側端子金具の段差部に係止する本係止位置とでそれぞれ保持される。特に仮係止位置に保持された状態でも、リテーナ１４の差し込み方向の後端がハウジング本体２内に入り込んでいる。したがって、雌側端子金具の挿入現場に搬送する途中等でリテーナ１４が不用意に本係止位置に押し込まれることが防止される。フード部３５には、リテーナ１４を保護する機能を持たせる必要はないので、シールリング１０の回りを覆う短寸のものに留められる。【選択図】図７
2006190696.tif 000002
【特許請求の範囲】
【請求項１】
端子金具が挿入されるキャビティが形成されたハウジング本体と、
前記端子金具に係止可能なリテーナと、
前記ハウジング本体に形成され、前記リテーナを前記端子金具の挿入方向と交差する方向に差し込み可能なリテーナ挿入溝と、を備え、
前記リテーナは、前記リテーナ挿入溝に対して前記キャビティへの前記端子金具の挿抜を許容する仮係止位置と、この仮係止位置より深い位置で前記端子金具に係止して抜け止め状態とする本係止位置とに保持可能とされ、かつ前記仮係止位置と本係止位置のいずれにおいても、前記ハウジング本体の内部に入り込んだ状態で保持されることを特徴とするコネクタ。
【請求項２】
前記ハウジング本体には、前記リテーナの差し込み状態を外部から目視可能な監視窓が形成されていることを特徴とする請求項１記載のコネクタ。
【請求項３】
前記リテーナには、このリテーナを前記仮係止位置と本係止位置との間で移動操作するための操作部が設けられ、この操作部が前記ハウジング本体の前面に臨んで配されていることを特徴とする請求項１または請求項２記載のコネクタ。
【請求項４】
前記リテーナは前記ハウジング本体の前面に臨んで配され、前記リテーナと、前記ハウジング本体と対向した相手のコネクタの対向面には、前記リテーナが前記本係止位置にある場合にのみ凹凸嵌合可能な検知部が設けられていることを特徴とする請求項１ないし請求項３のいずれかに記載のコネクタ。
【請求項５】
前記ハウジング本体の回りには相手のコネクタの筒状嵌合部が内嵌されるフード部が設けられるとともに、前記ハウジング本体の基端側の外周に前記筒状嵌合部との間で挟持されるシールリングが装着された防水タイプであって、前記リテーナ挿入溝が前記シールリングの装着位置の前方に配される一方、前記フード部が、前記シールリングの装着位置の回りを覆うことに留められる形状とされていることを特徴とする請求項１ないし請求項４のいずれかに記載のコネクタ。
【発明の詳細な説明】
【技術分野】
【０００１】
本発明は、いわゆるサイドタイプのリテーナを備えたコネクタに関する。
【背景技術】
【０００２】
リテーナ付きのコネクタの一例としてサイドリテーナタイプのものがある（例えば特許文献１）。このタイプのコネクタは、複数のキャビティが設けられたハウジングの側面にリテーナ挿入溝が形成され、このリテーナ挿入溝から端子金具の段差部等に係止可能な係止突部を設けたリテーナが差し込み可能とされている。差し込まれたリテーナはまず、係止突部がキャビティの側方に退避した仮係止位置に保持され、係る状態でキャビティに端子金具が挿入されてランス等で一次係止される。続いてリテーナがさらに深い本係止位置に差し込まれると、係止突部がキャビティ内に突出して端子金具の段差部等に係止することで、端子金具が抜け止め状態に二重係止されるようになっている。このサイドタイプのリテーナは、端子金具に直接係止できることで係止力が強いという利点を有している。
【０００３】
ここで、この種のサイドリテーナタイプのものでは、リテーナが仮係止位置にあるときには、リテーナの差込方向の後端がハウジングの側面から突出するようにするのが一般的である。これは、リテーナを本係止位置に差し込むべきところを失念して仮係止位置に留められた場合に、ハウジングを手にした際の感触等でこれを検知しやすくするためである。
【特許文献１】実開平５−４１０７１号公報
【発明の開示】
【発明が解決しようとする課題】
【０００４】
しかしながら上記構造のものは、リテーナが仮係止位置にある際に突出しているがために、端子金具を挿入する前の搬送中等においてリテーナが誤って本係止位置まで差し込まれてしまうおそれがある。そのため、このようなリテーナの不用意な差し込み動作を防止するために、リテーナの差込位置の回りを保護部で覆うことも考えられるが、そうするとハウジングが大型化してしまうという問題があった。  
本発明は上記のような事情に基づいて完成されたものであって、その目的は、リテーナの不用意な差し込みを防止できるようにしなおかつ小型化を実現できるコネクタを提供するところにある。
【課題を解決するための手段】
【０００５】
上記の目的を達成するための手段として、請求項１の発明は、端子金具が挿入されるキャビティが形成されたハウジング本体と、前記端子金具に係止可能なリテーナと、前記ハウジング本体に形成され、前記リテーナを前記端子金具の挿入方向と交差する方向に差し込み可能なリテーナ挿入溝と、を備え、前記リテーナは、前記リテーナ挿入溝に対して前記キャビティへの前記端子金具の挿抜を許容する仮係止位置と、この仮係止位置より深い位置で前記端子金具に係止して抜け止め状態とする本係止位置とに保持可能とされ、かつ前記仮係止位置と本係止位置のいずれにおいても、前記ハウジング本体の内部に入り込んだ状態で保持されるところに特徴を有する。
【０００６】
請求項２の発明は、請求項１に記載のものにおいて、前記ハウジング本体には、前記リテーナの差し込み状態を外部から目視可能な監視窓が形成されているところに特徴を有する。
請求項３の発明は、請求項１または請求項２に記載のものにおいて、前記リテーナには、このリテーナを前記仮係止位置と本係止位置との間で移動操作するための操作部が設けられ、この操作部が前記ハウジング本体の前面に臨んで配されているところに特徴を有する。
【０００７】
請求項４の発明は、請求項１ないし請求項３のいずれかに記載のものにおいて、前記リテーナは前記ハウジング本体の前面に臨んで配され、前記リテーナと、前記ハウジング本体と対向した相手のコネクタの対向面には、前記リテーナが前記本係止位置にある場合にのみ凹凸嵌合可能な検知部が設けられているところに特徴を有する。
【０００８】
請求項５の発明は、請求項１ないし請求項４のいずれかに記載のものにおいて、前記ハウジング本体の回りには相手のコネクタの筒状嵌合部が内嵌されるフード部が設けられるとともに、前記ハウジング本体の基端側の外周に前記筒状嵌合部との間で挟持されるシールリングが装着された防水タイプであって、前記リテーナ挿入溝が前記シールリングの装着位置の前方に配される一方、前記フード部が、前記シールリングの装着位置の回りを覆うことに留められる形状とされているところに特徴を有する。
【発明の効果】
【０００９】
＜請求項１の発明＞
リテーナは、仮係止位置と本係止位置のいずれの位置に保持されていてもハウジング本体の内部に入り込んでいるから、外力等を受けて反対側の位置に不用意に移動することが防がれる。しかもハウジング本体の外面にはリテーナを保護のために余分な部分を設けることが不要であって、コネクタを小型のものに留めることができる。
【００１０】
＜請求項２の発明＞
リテーナが仮係止位置にあるか本係止位置にあるかを、監視窓を通して目視により確認することができる。
＜請求項３の発明＞
リテーナの操作部がハウジング本体の前面に臨んで配されているから、前面側から操作部を目視しつつ操作してリテーナを移動させることができる。
【００１１】
＜請求項４の発明＞
リテーナが仮係止位置に留められたままで相手のコネクタと嵌合されると、リテーナと相手のコネクタの対向面の検知部が凹凸嵌合できないことで、両コネクタが正規に嵌合できず、リテーナが本係止位置に移動されていれば、検知部が凹凸嵌合しつつ両コネクタが正規に嵌合される。両コネクタが正規に嵌合されたか否かをもって、リテーナが本係止位置に移動しているか否かを検知することができる。
【００１２】
＜請求項５の発明＞
ハウジング本体の外周にフード部を設けた防水タイプの場合、フード部に対してはリテーナを保護する機能を持たせる必要がなくなり、フード部は防水機能を果たすべくシールリングの回りを覆うだけの小さなものに留め置くことができる。その分、材料費を低減することが可能となる。
【発明を実施するための最良の形態】
【００１３】
以下、本発明の一実施形態を図１ないし図１８に基づいて説明する。  
この実施形態では、互いに嵌合されるハイブリッド形式の雌雄一対の防水コネクタを備えており、まず雌コネクタＦについて図１ないし図１１により説明する。  雌コネクタＦは、合成樹脂製の雌ハウジング１を有しており、この雌ハウジング１は、図１ないし図４に示すように、断面が横長形状をなすハウジング本体２に対して、これとは別体に形成されたフード部材３を組み付けることにより形成されている。
【００１４】
ハウジング本体２内には、その上段側に図示５個の小キャビティ５Ａが、下段側に図示４個の大キャビティ５Ｂがそれぞれ並んで形成されている。小キャビティ５Ａには小型の雌側端子金具６Ａが、また大キャビティ５Ｂには大型の雌側端子金具６Ｂが互いに向き合った姿勢で後方から挿入され（図１１参照）、それぞれに設けられた金属ランス７がキャビティ５Ａ，５Ｂの側壁に設けられた係止溝８に嵌まることで、抜け止め状態に一次係止されて収容されるようになっている。ハウジング本体２の長さ方向の中央部よりも少し前端寄りの位置における外周面には、係止鍔３４が全周にわたって形成されており、この係止鍔３４の後面側に、所定幅のシールリング１０が装着されるようになっている。
【００１５】
フード部材３は、図４に示すように、上記したシールリング１０の装着位置の外側を覆うことのできる短寸のフード部３５の後面側に、ハウジング本体２の後端側の外周面に嵌合される縮径された取付筒部３６の連設された段付き状に形成されている。このフード部材３は、ハウジング本体２の外側に後方から挿入され、フード部３５の奥の段付部３７が予め装着されたシールリング１０の後端に当たったところで、図３に示すように、ハウジング本体２の側面に突設された突起３８が、取付筒部３６の取付孔３９に嵌まることで一体的に組み付けられるようになっている。フード部材３が組み付けられると、上記のようにフード部３５がシールリング１０から係止鍔３４までの回りを覆い、シールリング１０は、係止鍔３４と段付部３７との間に挟まれて保持されるようになっている。  
また、フード部３５の上面における幅方向の中央部には一段高くなったアーチ部３３が形成され、その内側に前後方向に延びたロックアーム１１が形成されている。
【００１６】
そして、後記するように相手の雄コネクタＭと嵌合され、雄ハウジング４１の筒状嵌合部４２（図１３参照）がフード部３５内に進入すると、筒状嵌合部４２とハウジング本体２との間でシールリング１０が弾性的に挟持されることで両コネクタＦ，Ｍ間のシールが取られ、またロックアーム１１の係止孔１２に雄ハウジング４１側の突起４３が嵌まって、両コネクタＦ，Ｍが嵌合状態にロックされるようになっている。
【００１７】
ハウジング本体２には、雌側端子金具６Ａ，６Ｂを二重係止するためのリテーナ１４が予め装着されるようになっている。リテーナ１４は、合成樹脂材により図５，６に示す形状に形成されている。このリテーナ１４は詳細には、ハウジング本体２の横幅よりも小さい長さ寸法を持ち、基板１５の幅方向の中央部にガイド板１６が直角に立てられたＴ字形断面に形成されている。基板１５の一方の側縁には、小型の雌側端子金具６Ａの段差部９に係止可能な図示５個の係合突部１７Ａが形成されているとともに、他方の側縁には、大型の雌側端子金具６Ｂの段差部９に係止可能な図示４個の係合突部１７Ｂが形成されている。
【００１８】
ガイド板１６の突出縁には、その長さ方向のほぼ中央部において弾性係止片１９が形成されている。この弾性係止片１９は、差し込み方向の前方（図７の左方）を向いた片持ち状に形成されて撓み変形可能となっており、先端側の外面に嵌合突起２０が形成されている。また、弾性係止片１９の付け根側には、操作部２１が突設されているとともに、操作部２１の手前側の切欠部分が検知凹部２２となっている。
【００１９】
ハウジング本体２における一方の短辺側の面には、上記のリテーナ１４を差し込むためのリテーナ挿入溝２３が形成されている。リテーナ挿入溝２３は詳細には、上下のキャビティ５Ａ，５Ｂの列の間において、雌側端子金具６Ａ，６Ｂの挿入方向と直交する向きに形成されている。このリテーナ挿入溝２３も断面Ｔ字形に形成され、リテーナ１４の基板１５が差し込まれる基板差込部２４が、上記したシールリング１０の前方の係止鍔３４の箇所に位置しており、基板差込部２４の上下両側縁は上下のキャビティ５Ａ，５Ｂに臨んでいる。
【００２０】
リテーナ１４のガイド板１６が差し込まれるガイド板差込部２５の前面には、図１及び図７に示すように、リテーナ１４の差し込み方向の手前側から順次に、操作部２１を摺動可能とする摺動孔２７と、弾性係止片１９の嵌合突起２０がそれぞれ嵌合可能な仮係止孔２８及び本係止孔２９が形成されている。また、ハウジング本体２の前面における本係止孔２９の同一直線上の先の位置には、図２及び図３に示すように検知片３０が突設されている。この検知片３０の突出寸法は、上記したリテーナ１４の検知凹部２２の切り込み深さとほぼ同じである。
【００２１】
リテーナ１４はハウジング本体２のリテーナ挿入溝２３に差し込まれ、まず図７で参照されるように、弾性係止片１９の嵌合突起２０が手前側の仮係止孔２８に嵌まることで仮係止位置に保持される。この仮係止位置では、図９に示すように、リテーナ１４の基板１５の各係合突部１７Ａ，１７Ｂがキャビティ５Ａ，５Ｂの手前側に退避している。また、リテーナ１４の差し込み方向の後端は、図７及び図９に示されるように、ハウジング本体２の側面と面一にリテーナ挿入溝２３内に入り込む設定となっている。
【００２２】
仮係止位置からさらにリテーナ１４が押し込まれると、図８に示すように、弾性係止片１９の嵌合突起２０が向こう側の本係止孔２９に嵌まることで本係止位置に保持され、この本係止位置では、図１０に示すように、リテーナ１４の基板１５の各係合突部１７Ａ，１７Ｂがキャビティ５Ａ，５Ｂ内に突出するようになっている。もちろんリテーナ１４は、完全にハウジング本体２内に入り込んだ状態となる。
【００２３】
次に相手の雄コネクタＭについて、図１２ないし図１５によって説明する。この雄コネクタＭはパネル取付型のコネクタであって、同じく合成樹脂材により形成された雄ハウジング４１を備えている。雄ハウジング４１の前面側には、上記の雌ハウジング１に組み付けられたフード部材３におけるフード部３５の内側にほぼ緊密に嵌合される筒状嵌合部４２が形成され、筒状嵌合部４２内の奥端には、合成樹脂材により別体として形成された端子収容部材４４が装着されるようになっている。
【００２４】
この端子収容部材４４には、その上段側に図示５個の小キャビティ４５Ａが、下段側に図示４個の大キャビティ４５Ｂがそれぞれ並んで形成されており、端子収容部材４４が筒状嵌合部４２内の奥端まで押し込まれると、上下両面に設けられた係止爪４６が、筒状嵌合部４２の上下の内壁に形成された係止突部４７または係止凹部４８にそれぞれ係止されることで抜け止め状態で装着されるようになっている。なお、筒状嵌合部４２の後端側に張り出した部分には、上下のそれぞれのキャビティ４５Ａ，４５Ｂに連通して端子挿入口５０が形成されている。
【００２５】
したがってそれぞれのキャビティ４５Ａ，４５Ｂには、端子挿入口５０を通して小型と大型の雄側端子金具６６Ａ，６６Ｂ（図１３に鎖線で図示）が、互いに向き合った姿勢で後方から挿入され、それぞれに設けられた金属ランス６７がキャビティ４５Ａ，４５Ｂの側壁に設けられた係止溝５２に嵌まることで、タブ６８を筒状嵌合部４２内に突出させた状態で抜け止め状態に一次係止されて収容されるようになっている。  
なお、図１３以外では、雄側端子金具６６Ａ，６６Ｂの図示は省略されている。
【００２６】
端子収容部材４４には、雄側端子金具６６Ａ，６６Ｂを二重係止するためのリテーナ１４が予め装着されるようになっている。このリテーナ１４は、上記した雌コネクタＦに装着されたリテーナ１４と同じものが使用されるとともに、端子収容部材４４の一方の短辺側の面には、リテーナ挿入溝２３が雌コネクタＦ側のリテーナ挿入溝２３と左右対称の向きで形成されている。リテーナ１４とリテーナ挿入溝２３の形状については、雌コネクタＦ側と同一符号を付すことで重複した説明を省略する。なお、端子収容部材４４の前面における本係止孔２９の先の位置には、図１４に示すように検知片３０が突設されている。
【００２７】
リテーナ１４は、端子収容部材４４が雄ハウジング４１の筒状嵌合部４２内に装着される前に、外部において端子収容部材４４のリテーナ挿入溝２３に差し込まれ、まず弾性係止片１９の嵌合突起２０が仮係止孔２８に嵌まることで仮係止位置に保持される。この仮係止位置では、リテーナ１４の基板１５の各係合突部１７Ａ，１７Ｂがキャビティ４５Ａ，４５Ｂの手前側に退避している。端子収容部材４４は、リテーナ１４が仮係止位置に保持された状態で上記のように筒状嵌合部４２内に装着され、各キャビティ４５Ａ，４５Ｂ内に雄側端子金具６６Ａ，６６Ｂが収容されたのちに本係止位置に向けて押し込まれるようになっている。本係止位置には弾性係止片１９の嵌合突起２０が本係止孔２９に嵌まることで保持され、リテーナ１４の基板１５の各係合突部１７Ａ，１７Ｂがキャビティ４５Ａ，４５Ｂ内に突出して、雄側端子金具６６Ａ，６６Ｂの段差部６９に係止するようになっている。
【００２８】
また、雄コネクタＭ側のリテーナ１４が本係止位置にある場合には、リテーナ１４の検知凹部２２が、雌コネクタＦのハウジング本体２の前面に突設された検知片３０の進入を許容する位置に移動している。  
一方、上記した雌コネクタＦ側のリテーナ１４が本係止位置にある場合には、そのリテーナ１４の検知凹部２２が、雄コネクタＭに装着された端子収容部材４４の前面に突設された検知片３０の進入を許容する位置に移動するようになっている。
【００２９】
なお、雄コネクタＭは上記のようにパネル５５の取付孔５６（図１６参照）に取付可能となっており、図１２，１３に示すように、筒状嵌合部４２の後端側の外周にはフランジ５８が形成されているとともに、その前面に取付孔５６内に嵌合される円形壁５９が突設され、円形壁５９の外周には、取付孔５６の口縁に切欠形成された逃がし溝に挿入可能な突起６０が９０度間隔を空けて形成されている。
【００３０】
本実施形態は上記のような構造であって、続いてその作用を説明する。  
雄コネクタＭは以下のようにして組み付けられる。まず、端子収容部材４４のリテーナ挿入溝２３にリテーナ１４が差し込まれて仮係止位置に保持される。係る状態で端子収容部材４４が雄ハウジング４１の筒状嵌合部４２内に押し込まれ、図１３に示すように、上下両面の係止爪４６が係止突部４７または係止凹部４８に弾性的に係止されることで抜け止め状態に装着される（図１４）。続いて、後端側の端子挿入口５０から上下のキャビティ４５Ａ，４５Ｂに対して小型と大型の雄側端子金具６６Ａ，６６Ｂが挿入され、金属ランス６７により一次係止されて収容される。
【００３１】
次に、筒状嵌合部４２内に前面側から治具を入れてリテーナ１４の操作部２１に引っ掛け、リテーナ１４を図１５に示す本係止位置に移動させる。これにより、リテーナ１４の各係合突部１７Ａ，１７Ｂがキャビティ４５Ａ，４５Ｂ内に突出し、雄側端子金具６６Ａ，６６Ｂの段差部６９の後面に係止することによって、雄側端子金具６６Ａ，６６Ｂが抜け止め状態に二重係止される。
【００３２】
これにより雄コネクタＭ側の組付けが完了し、この雄コネクタＭは、突起６０をパネル５５の取付孔５６の口縁に設けられた逃がし溝に合わせつつ、円形壁５９が取付孔５６に押し込まれ、フランジ５８がパッキン６１を介してパネル５５に突き当たったところで軸線回りに回動させて、図１６に示すように、取付孔５６の表裏の口縁をフランジ５８と突起６０とで挟持することによりパネル５５に固定される。
【００３３】
一方、雌コネクタＦの組み付けは以下のようにして行われる。まずリテーナ１４がハウジング本体２のリテーナ挿入溝２３に差し込まれ、図７に示す仮係止位置に保持される。この仮係止位置では、図９のように、リテーナ１４の基板１５の各係合突部１７Ａ，１７Ｂがキャビティ５Ａ，５Ｂの手前側に退避しているから、雌側端子金具６Ａ，６Ｂの挿入が許容される状態にあり、かつリテーナ１４はリテーナ挿入溝２３内に入り込む。
【００３４】
次に、ハウジング本体２の係止鍔３４の後面側にシールリング１０が嵌着される。続いて、ハウジング本体２の後方からフード部材３が嵌合される。既述したようにフード部３５の奥の段付部３７がシールリング１０の後端に当たったところで、ハウジング本体２の突起３８が取付筒部３６の取付孔３９に嵌まって、フード部材３が一体的に組み付けられ、フード部３５がシールリング１０から係止鍔３４までの回りを覆い、係止鍔３４と段付部３７との間でシールリング１０が挟まれて保持される。
【００３５】
雌ハウジング１は、上記のようにリテーナ１４が仮係止位置に保持された状態で端子挿入現場に搬送され、ハウジング本体２に形成された上下のキャビティ５Ａ，５Ｂに、それぞれ小型と大型の雌側端子金具６Ａ，６Ｂが後方から挿入され、金属ランス７により一次係止されて収容される。
【００３６】
すべての雌側端子金具６Ａ，６Ｂの挿入が完了したら、前面側からリテーナ１４の操作部２１に治具を引っ掛け、リテーナ１４を図８に示す本係止位置に移動させる。そうすると、図１０のように、リテーナ１４の基板１５の各係合突部１７Ａ，１７Ｂがキャビティ５Ａ，５Ｂ内に突出し、図１１のように、雌側端子金具６Ａ，６Ｂの段差部９の後面に係止することによって、雌側端子金具６Ａ，６Ｂが抜け止め状態に二重係止される。
【００３７】
これにより雌コネクタＦの組み付けが完了し、雌コネクタＦはパネル５５に取り付けられた雄コネクタＭに対して、図１６の矢線に示すように嵌合される。雌コネクタＦが嵌合されると、ロックアーム１１を撓み変形させつつ、雄ハウジング４１の筒状嵌合部４２が雌ハウジング１のフード部３５内に相対的に進入し、嵌合の完了に近づくと、雄コネクタＭ側と雌コネクタＦ側のそれぞれの検知片３０が、対向する相手のリテーナ１４の検知凹部２２から摺動孔２７にわたって入り込む。両コネクタＦ，Ｍが正規に嵌合されると、ロックアーム１１の係止孔１２に雄ハウジング４１側の突起４３が嵌まって両コネクタＦ，Ｍが嵌合状態にロックされる（図１７参照）。また、筒状嵌合部４２とハウジング本体２との間でシールリング１０が弾性的に挟持されることで両コネクタＦ，Ｍ間のシールが取られる。
【００３８】
なお、図１８に示すように、雌コネクタＦにおいて、リテーナ１４を本係止位置に移動させることを失念し、仮係止位置に留め置いたままで両コネクタＦ，Ｍが嵌合されると、リテーナ１４の検知凹部２２の位置が相手の端子収容部材４４の前面の検知片３０からずれているために、検知片３０が操作部２１に突き当たって正規位置まで嵌合できない。これはロックアーム１１によるロックがなされないことで確認できる。そうしたら、リテーナ１４を本係止位置に移動させたのち、改めて両コネクタＦ，Ｍを嵌合すればよい。  
また、雄コネクタＭ側のリテーナ１４が仮係止位置に留め置かれていた場合も、同様にリテーナ１４の検知凹部２２の位置が相手のハウジング本体２の前面の検知片３０からずれていて、検知片３０が操作部２１に突き当たることから、両コネクタＦ，Ｍが正規に嵌合できず、同様にリテーナ１４が仮係止位置に留め置かれていることが検知できる。
【００３９】
一方、メンテナンス等において端子金具を対応するハウジングから外す場合は以下のようにして行う。  
雌コネクタＦ側では、ロックアーム１１によるロックを外して雄コネクタＭから引き抜いたのち、リテーナ１４の弾性係止片１９を撓み変形させて本係止孔２９から外しつつ、操作部２１に治具を引っ掛けて、リテーナ１４を仮係止位置に移動させる。そうすると、リテーナ１４による雌側端子金具６Ａ，６Ｂの係止が解除されるから、金属ランス７の係止を解除することで雌側端子金具６Ａ，６Ｂを後方に引き抜くことができる。
【００４０】
雄コネクタＭ側では、パネル５５から外したのち、同様に前面からリテーナ１４の弾性係止片１９を本係止孔２９から外して操作部２１に治具を引っ掛けることで、リテーナ１４を仮係止位置に移動させると、リテーナ１４による雄側端子金具６６Ａ，６６Ｂの係止が解除されるから、金属ランス６７の係止を解除することで雄側端子金具６６Ａ，６６Ｂを後方に引き抜くことができる。
【００４１】
以上説明したように本実施形態によれば、以下のような利点を得ることができる。  
雌コネクタＦ側において、リテーナ１４をハウジング本体２に対して仮係止位置に組み付けた際に、ハウジング本体２の側面から突出しないようにされているから、ハウジング本体２にフード部材３を組み付ける際や、組み付け後に雌側端子金具６Ａ，６Ｂの挿入現場に搬送する途中等で、リテーナ１４を不用意に本係止位置まで押し込んでしまうおそれがない。  
また、リテーナ１４の不用意な押し込みが無くなることでフード部に対してはリテーナ１４を保護する機能を持たせる必要がなくなり、フード部３５は防水機能を果たすべくシールリング１０の回りを覆うだけの短寸のものに留め置くことができ、その分、材料費を低減することが可能となる。
【００４２】
リテーナ１４の操作部２１が、ハウジング本体２の前面に開口した摺動孔２７に臨んで配されているから、リテーナ１４がハウジング本体２内に入り込んでいるとはいえども、操作部２１の位置を目視することで、リテーナ１４が仮係止位置にあるか本係止位置にあるかを正確に確認することができる。  
また、操作部２１に治具を引っ掛ける等で前面側からリテーナ１４の移動操作を行うことができる。
【００４３】
リテーナ１４と、相手の雄コネクタＭ側の端子収容部材４４の前面とに、リテーナ１４が本係止位置にあって初めて凹凸嵌合し得る検知凹部２２と検知片３０とを設けたから、両コネクタＦ，Ｍが正規に嵌合されたか否かをもってリテーナ１４が本係止位置に移動されているか否かを簡単にかつ確実に検知することができる。  
なお、リテーナ１４が不用意に本係止位置に押し込まれないこと、リテーナ１４の位置の確認と移動操作とを前面側からできること、及び、リテーナ１４の位置検知が行えることについては、雄コネクタＭ側でも同様の利点を得ることができる。
【００４４】
＜他の実施形態＞
本発明は上記記述及び図面によって説明した実施形態に限定されるものではなく、例えば次のような実施形態も本発明の技術的範囲に含まれ、さらに、下記以外にも要旨を逸脱しない範囲内で種々変更して実施することができる。
【００４５】
（１）リテーナの位置検知を行うに際しては、リテーナ側に検知片を設ける一方、相手のコネクタの対向面に、リテーナが本係止位置にある場合に上記の検知片の進入を許容する検知凹部を設けるようにしてもよい。
【００４６】
（２）また上記実施形態では、雌コネクタにおいて、ハウジング本体とフード部材とを別体として形成するようにしたが、シールリングをハウジング本体の前面側から装着して所定位置に保持できるような構造を採用すれば、ハウジング本体とフード部材とを初めから一体成形することも可能である。  
（３）雌コネクタ側において、リテーナ挿入溝をハウジング本体の両側面を貫通して設けることも可能であるが、その場合はリテーナを本係止位置に深く差し込んだ際に、リテーナの差し込み方向の先端がハウジング本体の側面から突出しないようにする必要がある。
【図面の簡単な説明】
【００４７】
【図１】本発明の一実施形態に係る雌コネクタの正面図
【図２】その平面図
【図３】その側面図
【図４】その縦断面図
【図５】リテーナの正面図
【図６】その斜視図
【図７】リテーナが仮係止位置にある場合の平断面図
【図８】リテーナが本係止位置にある場合の平断面図
【図９】リテーナが仮係止位置にある場合の概略断面図
【図１０】リテーナが本係止位置にある場合の概略断面図
【図１１】リテーナが本係止位置にある場合の縦断面図
【図１２】雄コネクタの正面図
【図１３】その縦断面図
【図１４】リテーナが仮係止位置にある場合の平断面図
【図１５】リテーナが本係止位置にある場合の平断面図
【図１６】両コネクタの嵌合動作を示す平断面図
【図１７】両コネクタが正規嵌合された状態の平断面図
【図１８】雌コネクタのリテーナが仮係止位置に留め置かれた場合の嵌合動作を示す平断面図
【符号の説明】
【００４８】
Ｆ…雌コネクタ
Ｍ…雄コネクタ
１…雌ハウジング
２…ハウジング本体
３…フード部材
５Ａ，５Ｂ…キャビティ
６Ａ，６Ｂ…雌側端子金具
９…段差部
１０…シールリング
１４…リテーナ
１７Ａ，１７Ｂ…係合突部（係合部）
１９…弾性係止片
２１…操作部
２２…検知凹部（検知部）
２３…リテーナ挿入溝
２７…摺動孔（監視窓）
２８…仮係止孔
２９…本係止孔
３０…検知片（検知部）
３５…フード部
４１…雄ハウジング
４２…筒状嵌合部
４４…端子収容部材
【図１】
2006190696.tif 000003
【図２】
2006190696.tif 000004
【図３】
2006190696.tif 000005
【図４】
2006190696.tif 000006
【図５】
2006190696.tif 000007
【図６】
2006190696.tif 000008
【図７】
2006190696.tif 000009
【図８】
2006190696.tif 000010
【図９】
2006190696.tif 000011
【図１０】
2006190696.tif 000012
【図１１】
2006190696.tif 000013
【図１２】
2006190696.tif 000014
【図１３】
2006190696.tif 000015
【図１４】
2006190696.tif 000016
【図１５】
2006190696.tif 000017
【図１６】
2006190696.tif 000018
【図１７】
2006190696.tif 000019
【図１８】
2006190696.tif 000020